(57)【要約】      （修正有）【課題】内部に収容された収容物を容易に取り出すことができる収容箱を提供する。【解決手段】複数個の収容物２が前面１１から後面まで一列に収容される収容箱１であって、前面１１に形成される開口部の一端部に取り付けられ、開口部の一端部から、後面側に配置された収容物２と後面との間を経由して、開口部の他端部から引き出される引出部材２０を備える。また、引出部材２０には、引き出し方向に収容物２の大きさに対応する所定間隔で、収容物２の残り個数を示す記号が付されている。【選択図】図１
0003133717.tif 000002
【実用新案登録請求の範囲】
【請求項１】
複数個の収容物が前面から後面まで一列に収容される収容箱であって、
前記前面に形成される開口部の一端部に取り付けられ、当該開口部の一端部から、後面側に配置された収容物と後面との間を経由して、当該開口部の他端部から引き出される引出部材を備えることを特徴とする収容箱。
【請求項２】
前記引出部材には、引き出し方向に収容物の大きさに対応する所定間隔で、前記収容物の残り個数を示す記号が付されていることを特徴とする請求項１に記載の収容箱。
【請求項３】
前記引出部材は、所定間隔で切り取り可能に形成されていることを特徴とする請求項２に記載の収容箱。
【請求項４】
前記開口部は、前面の上端から所定の第一距離を残し、さらに前面の下端から所定の第二距離を残すとともに、前面の下端部には切欠部を有するように形成され、
前記引出部材は、開口部の上端部に取り付けられるとともに、前記切欠部から引き出されることを特徴とする請求項１〜３のいずれか１項に記載の収容箱。
【請求項５】
前記収容箱は、前面と後面と上面と下面と左側面と右側面を有する直方体形状であり、
前記左側面及び右側面には、前記前面側に切欠部が形成されることを特徴とする請求項４に記載の収容箱。
【請求項６】
前面の上端から所定の第一距離で残った部分、又は、前面の下端から所定の第二距離で残った部分には、前記収容物を示す識別情報が記載されていることを特徴とする請求項４又は５に記載の収容箱。
【請求項７】
請求項１に記載の複数個の同一形状の収容箱と、
一の収容箱と他の収容箱とを入れ替えるための、前記収容箱を前後方向に出入可能な挿入孔が形成された筒形状の挿入部材とを備える収容箱セット。
【請求項８】
前記挿入部材の挿入孔は、前記収容箱と嵌合する大きさであり、かつ、前記収容箱の前面の外周と略同一形状を有することを特徴とする請求項７に記載の収容箱セット。
【考案の詳細な説明】
【技術分野】
【０００１】
本考案は、収容箱及びそれを用いた収容箱セットに関する。例えば、複数個の収容物が前面から後面まで一列に収容される収容箱及びそれを用いた収容箱セットに関する。
【背景技術】
【０００２】
従来から病院や研究所等において、薬品用収容箱として、薬品を一定量ずつ用いることが可能なように、内部に複数個（例えば、５個）の薬品袋が収容されているものが用いられている。また、病院や研究所等では、さまざまな薬品（例えば、９種類の薬品）を取り扱うため、複数種類の同一形状の薬品用収容箱が保管されている。そして、このような薬品は冷蔵保管をしなければならないため、薬品用収容箱は、前面が開閉可能な冷蔵庫内等の収納庫に保管される。
このような一般的な薬品用収容箱は、例えば、運送時に取り扱いやすい直方体形状をしており、５個の薬品袋が前面から後面まで一列に収容され、上面が開閉可能となっているものや、前面に開口部が形成可能となっているもの等がある（例えば、特許文献１参照）。そして、９種類の薬品用収容箱は、冷蔵庫ではスペースが限られているため、３列３段で保管されるように積み重ねられることが多い。
【特許文献１】特開平０９−１９３９２５号公報
【考案の開示】
【考案が解決しようとする課題】
【０００３】
しかしながら、５個の薬品袋が前面から後面まで一列に収容され、上面が開閉可能となっている薬品用収容箱を用いて、９種類の薬品用収容箱を冷蔵庫に３列３段で保管した場合には、下段に配置された薬品用収容箱内から薬品袋を取り出すために、その上段の薬品用収容箱を冷蔵庫内から一旦取り出し、その後、下段の薬品用収容箱の上面を開けて薬品袋を取り出すことになり、手間がかかるという問題点があった。
一方、５個の薬品袋が前面から後面まで一列に収容され、前面に開口部が形成可能となっている薬品用収容箱を用いて、９種類の薬品用収容箱を冷蔵庫に３列３段で保管した場合には、上段の薬品用収容箱を冷蔵庫内から一旦取り出す必要もなく、下段に配置された薬品用収容箱内から薬品袋を取り出すことは容易となるが、薬品用収容箱内の薬品袋の残り個数が少なくなったときに、開口部から薬品袋を取り出すために薬品用収容箱内の奥まで手を突っ込む必要があり、薬品袋を取り出しにくくなるという問題点があった。さらに、このような薬品用収容箱では、薬品用収容箱内に何個の薬品袋が現時点で残っているかを把握しにくいという在庫管理の問題もあった。
そこで、本考案は、内部に収容された収容物を容易に取り出すことができる収容箱及びそれを用いた収容箱セットを提供することを目的とする。
【課題を解決するための手段】
【０００４】
上記課題を解決するためになされた本考案の収容箱は、複数個の収容物が前面から後面まで一列に収容される収容箱であって、前記前面に形成される開口部の一端部に取り付けられ、当該開口部の一端部から、後面側に配置された収容物と後面との間を経由して、当該開口部の他端部から引き出される引出部材を備えるようにしている。
【０００５】
ここで、「一端部」と「他端部」とは、お互いに対向する位置となることが好ましく、上端部と下端部となることがより好ましい。
本考案の収容箱によれば、収容箱内には、複数個の収容物が前面から後面まで一列に収容される。そして、収容箱の前面には開口部が形成される。この開口部から収容物が取り出されることになる。また、引出部材は、開口部の一端部から、後面側に配置された収容物と後面との間を経由して、この開口部の他端部から引き出されるように配置されている。これにより、開口部の他端部から引き出されている引出部材を引っ張れば、収容物は開口部の方に引き寄せられることになる。
【考案の効果】
【０００６】
以上のように、本考案の収容箱によれば、９種類の収容箱を冷蔵庫等に３列３段で保管した場合にも、上段の収容箱を冷蔵庫から一旦取り出す必要もなく、収容箱内の収容物の残り個数が少なくなったときにも、収容物を開口部から取り出すために収容箱の奥まで手を突っ込む必要もなく、収容物を常に容易に取り出すことができる。
【０００７】
（他の課題を解決するための手段および効果）
また、上記の考案において、前記引出部材には、引き出し方向に収容物の大きさに対応する所定間隔で、前記収容物の残り個数を示す記号が付されているようにしてもよい。
ここで、「所定間隔」とは、収容物の大きさに対応する距離のことをいい、１個の収容物を開口部の近くに引き寄せるために、引き出される引出部材の移動距離のことをいう。
また、「記号」とは、数値や残り個数が少なくなったことを示す色等のことをいう。
本考案によれば、収容箱内に何個の収容物が現時点で残っているかを把握することができる。
また、上記の考案において、前記引出部材は、所定間隔で切り取り可能に形成されているようにしてもよい。
本考案によれば、収容箱内に何個の収容物が現時点で残っているかを容易に把握することができる。
【０００８】
また、上記の考案において、前記開口部は、前面の上端から所定の第一距離を残し、さらに前面の下端から所定の第二距離を残すとともに、前面の下端部には切欠部を有するように形成され、前記引出部材は、開口部の上端部に取り付けられるとともに、前記切欠部から引き出されるようにしてもよい。
本考案によれば、引出部材を引っ張れば、収容物が開口部の方に引き寄せられることになるが、前面の上端及び下端から所定の第一距離及び第二距離が残っているので、引出部材を引っ張りすぎても収容物がせき止められることにより、開口部から収容物を落下させてしまうことがなくなる。また、前面の上端又は下端から残った第一距離及び第二距離の部分に薬品の種類名や製造番号や消費期限等の識別情報を記載することができるので、薬品の種類名等を容易に把握することができる。さらに、引出部材は切欠部から引き出されるので、引出部材の位置ずれを防止することができる。
なお、「第一距離」と「第二距離」とは、お互いに同じ長さであってもよく、異なる長さであってもよい。
【０００９】
また、上記の考案において、前記収容箱は、前面と後面と上面と下面と左側面と右側面を有する直方体形状であり、前記左側面及び右側面には、前記前面側に切欠部が形成されるようにしてもよい。
本考案によれば、せき止められた収容物の側面を容易につかむことができ、収容物を容易に取り出すことができる。
また、上記の考案において、前面の上端から所定の第一距離で残った部分、又は、前面の下端から所定の第二距離で残った部分には、前記収容物を示す識別情報が記載されているようにしてもよい。
【００１０】
そして、本考案の収容箱セットは、上述したような複数個の同一形状の収容箱と、一の収容箱と他の収容箱とを入れ替えるための、前記収容箱を前後方向に出入可能な挿入孔が形成された筒形状の挿入部材とを備えるようにしてもよい。
本考案の収容箱セットによれば、複数個の同一形状の収容箱が冷蔵庫等に積み重ねられて保管された場合、一の収容箱内で収容物が空になったときに、一の収容箱を挿入孔の後方から挿入するように、挿入部材を前方から収容箱群に嵌め込み、その後、一の収容箱を前方に引き出すことで挿入部材の挿入孔から抜き出す。つまり、積み重ねられた収容箱群から一の収容箱のみを抜き出す。次に、一の収容箱と同一種類の収容物が収容された他の収容箱を、収容箱群に嵌め込まれた挿入部材の挿入孔の前方から挿入して収容箱群に嵌め込む。次に、挿入部材のみを、他の収容箱を挿入孔の後方から抜くように収容箱群から抜き出す。よって、複数個の収容箱が冷蔵庫等に積み重ねられて保管された場合に、上段の収容箱を冷蔵庫から一旦取り出す必要もなく、一の収容箱と、他の収容箱とを容易に入れ替えることができる。
さらに、上記の考案において、前記挿入部材の挿入孔は、前記収容箱と嵌合する大きさであり、かつ、前記収容箱の前面の外周と略同一形状を有するようにしてもよい。
【考案を実施するための最良の形態】
【００１１】
以下、本考案の実施形態について図面を用いて説明する。なお、本考案は、以下に説明するような実施形態に限定されるものではなく、本考案の趣旨を逸脱しない範囲で種々の態様が含まれることはいうまでもない。
【００１２】
図１及び図２は、本考案に係る薬品用収容箱の概略構成を示す斜視図である。図１は、前面に開口部が形成される前の薬品用収容箱の概略構成を示す斜視図であり、一方、図２は、前面に開口部が形成された後の薬品用収容箱の概略構成を示す斜視図である。また、図３は、８種類の薬品用収容箱を冷蔵庫に３列３段で保管した状態を示す図である。
図１に示すように、薬品用収容箱１ａは、前面１１と後面と上面１３と下面と右側面１５と左側面とを有する直方体形状である。そして、薬品用収容箱１ａの内部には、５個の薬品袋（収容物）２（２ａ〜２ｅ）が前面１１から後面まで一列に収容されている。
薬品袋２ａ〜２ｅは、それぞれ略直方体形状をしており、一の薬品用収容箱１ａでは、内部に同一種類の薬品が封入されたものである。また、薬品用収容箱１ａ〜１ｈは、それぞれ同一形状をしており、各薬品用収容箱１ａ〜１ｈには、それぞれ異なる種類の薬品が収容されている。例えば、薬品用収容箱１ａには、「Ａ」という種類の薬品が収容され、薬品用収容箱１ｂには、「Ｂ」という種類の薬品が収容されている。
【００１３】
引出部材２０は、長手方向に長く、薄いテープ形状をしており、その一端が前面１１の上端部に取り付けられ、前面１１の上端部から、５個の薬品袋２ａ〜２ｅの上と上面１３との間を通り、後面１５側に配置された薬品袋２ｅと後面との間を経由して、５個の薬品袋２ａ〜２ｅの下と下面との間を通り、その他端が前面１１側に配置された薬品袋２ａと前面１１との間に配置されている。
なお、引出部材２０の幅は、例えば、前面１１の幅の１／３の大きさであり、その一端は、前面１１の上端部の中央に接着されている。
また、引出部材２０には、長手方向に薬品袋２ａ〜２ｅの大きさに対応する所定間隔で、薬品袋２ａ〜２ｅの残り個数を示すことになる記号「１」、「２」、「３」、「４」、「５」が、前面１１の上端部に取り付けられた側から順に付されている。さらに、その所定間隔でミシン目等により切り取れるようになっており、例えば、１個の薬品袋２ａを取り出せば、薬品袋２ａ〜２ｅの残り個数を示す記号「５」が付された部分の引出部材２０が切り取られる。
【００１４】
また、薬品用収容箱１ａの前面１１、右側面１５及び左側面には、ミシン目等により一部を除外することにより開口部１１ａが容易に形成できるようになっている。
図２に示すように、薬品用収容箱１ａは、使用時には、開口部１１ａが形成された前面１１と後面と上面１３と下面と右側面１５と左側面とを有する直方体形状となる。開口部１１ａは、前面１１の上端から所定の第一距離ｄ１を残し、さらに前面１１の下端から所定の第二距離ｄ２を残すとともに、前面１１の下端部には切欠部１１ｂを有するように形成される。これにより、前面１１側に配置された薬品袋２ａと前面１１との間に配置されていた引出部材２０の他端は、切欠部１１ｂから薬品用収容箱１ａ外に引き出される。また、右側面１５及び左側面には、前面１１側に切欠部１５ａ、１６ａがそれぞれ有するように形成される。
なお、切欠部１１ｂの幅は、例えば、前面１１の幅の１／３の大きさであり、前面１１の下端部の中央に形成されている。また、前面１１の上端から残った所定の第一距離ｄ１には、薬品の種類名を示す「Ａ」等が記載されている。
【００１５】
ここで、図２、図４及び図５を用いて、薬品用収容箱１ａの使用方法について説明する。
まず、薬品袋２ａを取り出すときには、切欠部１１ｂから引き出されている引出部材２０を前方に引っ張る（図２参照）。これにより、薬品袋２ａ〜２ｅは開口部１１ａの方に引き寄せられ、薬品袋２ａは開口部１１ａ近くに配置される。このとき、前面１１の上端及び下端から所定の第一距離ｄ１及び第二距離ｄ２が残っているので、引出部材２０を引っ張りすぎても薬品袋２ａがせき止められることにより、開口部１１ａから薬品袋２ａを落下させてしまうことがない。
【００１６】
次に、切欠部１５ａ、１６ａから指等を入れて薬品袋２ａの側面をつかみ、薬品袋２ａを薬品用収容箱１ａ外に取り出す。さらに、薬品袋２ａを取り出せば、薬品袋２ａを取り出す前の薬品用収容箱１ａ内の薬品袋２ａ〜２ｅの残り個数を示す記号「５」が付された部分の引出部材２０をミシン目で切り取る。これにより、薬品用収容箱１ａ内に何個の薬品袋２が現時点で残っているかを容易に把握することができる。
【００１７】
その後、薬品袋２ｂを取り出すときには、切欠部１１ｂから引き出されている引出部材２０を前方に引っ張る。これにより、薬品袋２ｂ〜２ｅは開口部１１ａの方に引き寄せられ、薬品袋２ｂは開口部１１ａ近くに配置される。
次に、切欠部１５ａ、１６ａから指等を入れて薬品袋２ｂの側面をつかみ、薬品袋２ｂを薬品用収容箱１ａ外に取り出す。さらに、薬品袋２ｂを取り出せば、薬品袋２ｂを取り出す前の薬品用収容箱１ａ内の薬品袋２ｂ〜２ｅの残り個数を示す記号「４」が付された部分の引出部材２０をミシン目で切り取る（図４参照）。
【００１８】
同様に薬品袋２ｃ、２ｄ、２ｅと順に取り出すことになる。よって、薬品用収容箱１ａ内の薬品袋２ｄ、２ｅの残り個数を示す記号「２」が付された部分の引出部材２０をミシン目で切り取ったときには、薬品用収容箱１ａ内に１個の薬品袋２ｅしか現時点で残っていないことを把握することができるので、同一種類の薬品「Ａ」が収容された他の薬品用収容箱を適切なタイミングで発注することができる。（図５参照）
【００１９】
以上のように、薬品用収容箱１ａによれば、８種類の薬品用収容箱１を冷蔵庫に３列３段で保管した場合にも、上段の薬品用収容箱１ｂを冷蔵庫から一旦取り出す必要もなく、薬品用収容箱１ａ内の薬品袋２の残り個数が少なくなったときにも、薬品袋２を開口部１１ａから取り出すために薬品用収容箱１ａの奥まで手を突っ込む必要もなく、薬品袋２を常に容易に取り出すことができる。
また、薬品用収容箱１ａ内に何個の薬品袋２が現時点で残っているかを容易に把握することができる。
そして、引出部材２０を前方に引っ張れば、薬品袋２が開口部１１ａの方に引き寄せられることになるが、前面１１の上端及び下端から所定の第一距離ｄ１及び第二距離ｄ２が残っているので、引出部材２０を引っ張りすぎても薬品袋２がせき止められることにより、開口部１１ａから薬品袋２を落下させてしまうことがなくなる。また、前面１１の上端又は下端から残った所定の第一距離ｄ１及び第二距離ｄ２の部分に薬品の種類名等を記載することができるので、薬品の種類名等を容易に把握することができる。さらに、引出部材２０は切欠部１１ｂから引き出されるので、引出部材２０の位置ずれを防止することができる。
さらに、せき止められた薬品袋２の側面を容易につかむことができ、薬品袋２を容易に取り出すことができる。
【００２０】
また、図６は、本考案に係る挿入部材の概略構成を示す斜視図である。
図６に示すように、挿入部材３０は、前面３１と上面３３と下面３４と右側面３５と左側面３６とを有する略四角筒形状であり、上面３３と下面３４と右側面３５と左側面３６とにより、一の薬品用収容箱１ａを前後方向に出入可能な挿入孔３０ａが形成されている。
挿入孔３０ａの大きさは、薬品用収容箱１ａの大きさより少し大きく、挿入孔３０ａの長さは、薬品用収容箱１ａの長さの半分となっている。つまり、挿入孔３０ａは、薬品用収容箱１ａと嵌合する大きさであり、かつ、薬品用収容箱１ａの前面３１の外周と略同一形状を有する。
また、上面３３、下面３４、右側面３５及び左側面３６は、それぞれ、後側に切り欠けるＵ字形状である。さらに、前面３１は、薬品用収容箱１ａを挿入孔３０ａに前後方向に挿入するときに妨げとならないように、上面３３より上方に形成されている。
なお、挿入部材３０の材質は、例えば、薄くても変形しないように剛性を有するものである。
【００２１】
ここで、図３及び図７〜図１１を用いて、挿入部材３０の使用方法について説明する。
まず、薬品袋２が空になった薬品用収容箱１ａを挿入孔３０ａの後方から挿入するように、挿入部材３０を前方から収容箱群１ａ〜１ｈに嵌め込む（図７及び図８参照）。次に、薬品用収容箱１ａの前面１１の上端から残った所定の第一距離ｄ１の部分等を掴みながら、薬品用収容箱１ａを前方に引き出すことで挿入孔３０ａから抜き出す（図９参照）。つまり、積み重ねられた収容箱群１ａ〜１ｈから薬品用収容箱１ａのみを抜き出す。次に、薬品用収容箱１ａと同一種類「Ａ」の５個の薬品袋２’が収容された薬品用収容箱１ａ’を、収容箱群１ｂ〜１ｈに嵌め込まれた挿入部材３０の挿入孔３０ａの前方から挿入して収容箱群１ｂ〜１ｈに嵌め込む（図１０参照）。次に、挿入部材３０の前面３１を掴みながら、挿入部材３０のみを、薬品用収容箱１ａ’を挿入孔３０ａの後方から抜くように収容箱群１ａ’、１ｂ〜１ｈから抜き出す（図１１参照）。
【００２２】
以上のように、収容箱群１ａ〜１ｈが冷蔵庫等に積み重ねられて保管された場合に、上段の薬品用収容箱１ｂを冷蔵庫から一旦取り出す必要もなく、薬品用収容箱１ａ’と薬品用収容箱１ａとを容易に入れ替えることができる。つまり、収容箱群１ａ〜１ｈ中で同一種類「Ａ」の薬品袋が収容された薬品用収容箱の位置を変更せずに、薬品用収容箱１ａ’と薬品用収容箱１ａとを容易に入れ替えることができる。これにより、使用したい種類の薬品の位置を固定することができる。
【００２３】
本考案にかかる収容箱は、病院や研究所で扱う各種試薬・薬品等を収容物とするのみならず、菓子や健康食品等の食品、ボルトやネジなどの工具を収容した収容容器などの収容物に対しても有効に使用することができる。従って、本考案にかかる収容箱の設置場所も、冷蔵庫内に限らず、扉の有無を問わず各種棚の棚板上、さらには、天板上、机上とすることができる。
【産業上の利用可能性】
【００２４】
本考案は、複数個の収容物が前面から後面まで一列に収容される収容箱に利用することができる。
【図面の簡単な説明】
【００２５】
【図１】本考案に係る薬品用収容箱の概略構成を示す斜視図である。
【図２】本考案に係る薬品用収容箱の概略構成を示す斜視図である。
【図３】８種類の薬品用収容箱を冷蔵庫に３列３段で保管した状態を示す図である。
【図４】本考案に係る薬品用収容箱の使用方法について説明するための図である。
【図５】本考案に係る薬品用収容箱の使用方法について説明するための図である。
【図６】本考案に係る挿入部材の概略構成を示す斜視図である。
【図７】挿入部材の使用方法について説明するための図である。
【図８】挿入部材の使用方法について説明するための図である。
【図９】挿入部材の使用方法について説明するための図である。
【図１０】挿入部材の使用方法について説明するための図である。
【図１１】挿入部材の使用方法について説明するための図である。
【符号の説明】
【００２６】
１  薬品用収容箱（収容箱）
２  薬品袋（収容物）
１１  前面
１１ａ  開口部
１１ｂ  切欠部
２０  引出部材
３０  挿入部材
３０ａ  挿入孔
【図１】
0003133717.tif 000003
【図２】
0003133717.tif 000004
【図３】
0003133717.tif 000005
【図４】
0003133717.tif 000006
【図５】
0003133717.tif 000007
【図６】
0003133717.tif 000008
【図７】
0003133717.tif 000009
【図８】
0003133717.tif 000010
【図９】
0003133717.tif 000011
【図１０】
0003133717.tif 000012
【図１１】
0003133717.tif 000013